(57)【特許請求の範囲】
【請求項１】
上流端が冷水が流れる給水通路に接続される給水配管接続口となる冷水通路と、
上流端が温水供給装置からの温水が流れる上流側温水通路に接続される温水配管接続口となる温水通路と、
前記冷水通路と前記温水通路が合流する合流点からその下流側の給湯器接続口に繋がり且つ混合水温センサが設けられた混合水通路と、
前記混合水温センサの検知温度が設定温度になるように前記冷水通路の開度と前記温水通路の開度を調整することにより、前記合流点での前記冷水と前記温水との混合割合を調整する温調動作を実行する湯水混合器とを具備する、給湯器用湯水混合ユニットにおいて、
前記湯水混合器が前記温調動作を実行することによって前記温水通路の開度を最大に且つ前記冷水通路の開度を最小に設定させるときに、前記混合水通路の流量が第１判定基準流量以下になった場合には、前記湯水混合器によって前記冷水通路を第１設定開度に固定する制御手段を備えた、給湯器用湯水混合ユニット。
【請求項２】
上流端が冷水が流れる給水通路に接続される給水配管接続口となる冷水通路と、
上流端が温水供給装置からの温水が流れる上流側温水通路に接続される温水配管接続口となる温水通路と、
前記冷水通路と前記温水通路が合流する合流点からその下流側の給湯器接続口に繋がり且つ混合水温センサが設けられた混合水通路と、
前記混合水温センサの検知温度が設定温度になるように前記冷水通路の開度と前記温水通路の開度を調整することにより、前記合流点での前記冷水と前記温水との混合割合を調整する温調動作を実行する湯水混合器とを具備する、給湯器用湯水混合ユニットにおいて、
前記湯水混合器が前記温調動作を実行することによって前記温水通路の開度を最大に設定し且つ前記冷水通路の開度を最小に設定した結果、前記混合水通路の流量が第２判定基準流量以下になった場合には、前記湯水混合器によって前記冷水通路を第１設定開度に固定する制御手段を備えた、給湯器用湯水混合ユニット。
【請求項３】
請求項１又は２に記載の給湯器用湯水混合ユニットにおいて、
前記冷水通路を第１設定開度に固定するときに、前記湯水混合器によって前記温水通路を第２設定開度に固定し、その後前記混合水温センサの検知温度が復帰判定基準温度以上になった場合は、前記混合水温センサの検知温度が前記設定温度になるように前記湯水混合器によって前記混合割合を調整する制御手段を備えた、給湯器用湯水混合ユニット。
【請求項４】
請求項１から３のいずれかに記載の給湯器用湯水混合ユニットにおいて、
前記冷水通路が第１設定開度に固定された後に、前記混合水通路の通水が停止されたときは、前記湯水混合器によって前記冷水通路及び前記温水通路を安全温度混合開度に設定する制御手段を備えた、給湯器用湯水混合ユニット。
【請求項５】
請求項１から４のいずれかに記載の給湯器用湯水混合ユニットにおいて、
前記給湯器接続口に配管接続される給湯器を遠隔制御するためのリモコン部に対して異常状態の報知を要求するための異常報知要求部を具備し、
前記冷水通路を前記第１設定開度に固定した場合は、前記異常報知要求部によって前記リモコン部に異常状態の報知を要求する制御手段を備えた、給湯器用湯水混合ユニット。
【発明の詳細な説明】
【０００１】
【発明の属する技術分野】
本発明は、例えば太陽熱温水器等の自然エネルギーを利用した温水供給装置や、各種廃熱を利用した温水供給装置を給湯器に接続する為の給湯器用湯水混合ユニットに関するものである。
【０００２】
【従来の技術】
太陽熱温水器は、天候等により目的温度の温水が取り出せない為に、給湯器を補助熱源として接続してエネルギー資源の有効利用を図れるようにした給湯システムがあり、この給湯システムとして、特開平１０−３２５５５８号公報に記載されたものが知られている。
【０００３】
このものは、図３に示す概略構造を有しており、太陽熱温水器５から引き出された上流側温水通路５６は、給湯器用湯水混合ユニット１の温水通路１４に接続されている。又、上水道に繋がる給水通路１０は給湯器用湯水混合ユニット１の冷水通路１５に接続されていると共に、該冷水通路１５と上記温水通路１４の合流点には湯水混合器２０が配設されている。そして、上記温水通路１４と冷水通路１５には湯温センサ１９と給水温センサ２３が各別に設けられている。又、湯水混合器２０の下流側に形成された混合水通路２９には混合水温センサ３３が設けられている。
【０００４】
上記混合水通路２９は給湯器７の水入口７７に配管接続されていると共に、前記給湯器７から出湯蛇口８５や浴槽８１に給湯されるようになっている。
このものでは、給湯器７用のリモコン７１で給湯温度を設定すると、該設定された給湯温度（以下、「設定給湯温度」という。）が給湯器用湯水混合ユニット１の制御装置１１に送信される。そして、例えば出湯蛇口８５の開放によって給湯器７内の通水路に水流が生じると、給湯器７が出力する水流検知信号によって給湯器用湯水混合ユニット１の湯水混合器２０が制御され始める。即ち、混合水温センサ３３と湯温センサ１９と給水温センサ２３の出力と、更に給湯器７内の流量センサの出力に基づいて湯水混合器２０がフィードフォワード制御及びフィードバック制御され、これにより、湯水混合器２０から流出する混合水の温度が設定給湯温度に調整される。すると、給湯器用湯水混合ユニット１から流出する混合水が燃焼停止状態に維持された給湯器７を介して出湯蛇口８５等に給湯される。
【０００５】
又、上記のものでは、上流側温水通路５６が凍結したり、使用者が故意にソーラコック５９を閉じたことで前記上流側温水通路５６が通水停止状態になると、湯水混合器２０から流出する混合水の流量の変動が繰返されるのを検知し、これにより、湯水混合器２０を制御して冷水通路１５側を開状態に固定するようにしている。具体的には、上記凍結等によって上流側温水通路５６が通水停止状態になると、混合水温センサ３３の検知温度が設定給湯温度まで上昇しないことから、湯水混合器２０は温水の混合割合を増加させるべく、温水通路１４側の開度を最大開度まで増大させる。ところが、これでも混合水温センサ３３の検知温度が設定給湯温度まで上昇しないので、更に前記湯水混合器２０は冷水通路１５側の開度を次第に絞っていく。すると、最終的には混合水通路２９の流量が極めて少なくなって給湯器７が出力していた既述水流検知信号が消失するから、制御装置１１は出湯蛇口８５が閉じられたと判断して湯水混合器２０を初期状態に復帰させる。即ち、冷水通路１５側の開度を最大にし且つ温水通路１４側の開度を最小にした状態に湯水混合器２０を復帰させるのである。
【０００６】
すると、最大開度になった上記冷水通路１５からの冷水が再び給湯器７側に供給されるから既述水流検知信号が再度出力され、これにより、既述の温水通路１４の開度を増大させる制御と冷水通路１５を絞る制御が再開されて、最終的には湯水混合器２０が再び上記の初期状態に戻る。
【０００７】
そして、上記制御の繰返しによって給湯器７から流出する混合水の流量が繰返して変動すると、この繰返される流量変動を検知して該繰返し回数をカウントし、該カウント数が所定回数に達したときには、これを上流側温水通路５６が通水停止状態であると判断し、温水給湯器用湯水混合ユニット１の湯水混合器２０によって冷水通路１５側を開状態に固定する。
【０００８】
【発明が解決しようとする課題】
しかしながら、上記給湯システムに組み込まれた給湯器用湯水混合ユニット１では、給湯器７から流出する混合水の流量が繰返して変動するのを検出して冷水通路１５を開状態に固定するから、上記流量変動を検出する動作が終了するまでは前記混合水の流量がハンチングし、出湯蛇口８５等から流出する温水の使用者に不快感を与えるという問題があった。
【０００９】
本発明は係る点に鑑みて成されたもので、
『上流端が冷水が流れる給水通路に接続される給水配管接続口となる冷水通路と、
上流端が温水供給装置からの温水が流れる上流側温水通路に接続される温水配管接続口となる温水通路と、
前記冷水通路と前記温水通路が合流する合流点からその下流側の給湯器接続口に繋がり且つ混合水温センサが設けられた混合水通路と、
前記混合水温センサの検知温度が設定温度になるように前記冷水通路の開度と前記温水通路の開度を調整することにより、前記合流点での前記冷水と前記温水との混合割合を調整する温調動作を実行する湯水混合器とを具備する、給湯器用湯水混合ユニット』において、給湯器から流出する混合水の流量がハンチングする前に、いち早く上流側温水通路の通水停止状態を検出し、冷水通路から冷水を供給する動作に切り替えることをその課題とする。
【００１０】
【課題を解決するための手段】
［１項］
上記課題を解決する為の本発明の技術的手段は、
『前記湯水混合器が前記温調動作を実行することによって前記温水通路の開度を最大に且つ前記冷水通路の開度を最小に設定させるときに、前記混合水通路の流量が第１判定基準流量以下になった場合には、前記湯水混合器によって前記冷水通路を第１設定開度に固定する制御手段を備えた』ことである。
【００１１】
上記技術的手段によれば、上流側温水通路が通水停止状態になると、本発明の対象たる給湯器用湯水混合ユニットの混合水通路に設定温度以上の混合水が流れないから該混合水の温度を検知する混合水温センサの検知温度は上昇しない。従って、湯水混合器は該混合水の温度を上昇させるべく、温水通路の開度を最大にするとともに冷水通路の開度を最小にさせていく。このときに、前記混合水通路の流量が第１判定基準流量以下になった場合は上流側温水通路が通水停止状態にあると判断し、湯水混合器によって冷水通路を第１設定開度に固定する。
すると、第１設定開度に固定された冷水通路からの冷水は、湯水混合器から給湯器に供給され、該給湯器で加熱されて出湯蛇口等から出湯される。
【００１２】
以上のように、上記技術的手段によれば、混合水通路の流量が第１判定基準流量以下の場合は冷水通路を第１設定開度に固定するから、上流側温水通路の通水停止状態の検出をする間に、給湯器用湯水混合ユニットに接続される給湯器から流出する温水の流量がハンチングするのを防止することができる。
【００１３】
尚、前記混合水通路が通水状態にあるか否かは、混合水通路に通水の有無を検出する流量センサを設け、該流量センサの信号に基づいて判断してもよく、又、本発明の対象たる給湯器用湯水混合ユニットに接続される給湯器内の通水路に設けられた流量センサの信号に基づいて判断しても良い。
又、前記「第１設定開度」は、給湯器の給湯動作に支障がなければ最大開度でなくても、半開又はそれ以下の開度でも良い。
【００１４】
［２項］
『前記湯水混合器が前記温調動作を実行することによって前記温水通路の開度を最大に設定し且つ前記冷水通路の開度を最小に設定した結果、前記混合水通路の流量が第２判定基準流量以下になった場合には、前記湯水混合器によって前記冷水通路を第１設定開度に固定する制御手段を備えた』ものでは、上記１項と同様に、上流側温水通路が通水停止状態になると、前記混合水の温度を上昇させるべく、湯水混合器が温水通路の開度を最大にするとともに冷水通路の開度を最小にする。そして、この結果、前記混合水通路の流量が第２判定基準流量以下であれば、上流側温水通路が通水停止状態にあると判断し、湯水混合器によって冷水通路を第１設定開度に固定するので、上流側温水通路の通水停止状態の検出をする間に、給湯器用湯水混合ユニットに接続される給湯器から流出する温水の流量がハンチングするのを防止することができる。
【００１５】
また、前記温水通路の開度が最大且つ前記冷水通路の開度が最小に設定された状態であって前記混合水通路の流量が第２判定基準流量以下になった場合に、上流側温水通路が通水停止状態であると判断するから、高温の温水を正常に供給することができて通常の温調動作が実行されているとき（前記温水通路の開度が最大且つ前記冷水通路の開度が最小に設定された状態にないとき）には、使用者が混合水の使用量を減らすことによって前記混合水通路の流量が第２判定基準流量以下になってもこれを通水停止状態であると判断して冷水通路が第１設定開度に固定されることがない。
【００１６】
［３項］
前記１項又は２項において、
『前記冷水通路を第１設定開度に固定するときに、前記湯水混合器によって前記温水通路を第２設定開度に固定し、その後前記混合水温センサの検知温度が復帰判定基準温度以上になった場合は、前記混合水温センサの検知温度が前記設定温度になるように前記湯水混合器によって前記混合割合を調整する制御手段を備えた』ものとすれば、上流側温水通路が通水停止状態になって混合水通路の流量が判定基準流量以下になった場合は、冷水通路を第１設定開度に固定するとともに、温水通路を第２設定開度に固定する。そして、凍結等の上流側温水通路の通水停止原因が解消されたことによって上流側温水通路が通水状態に戻り、上流側温水通路から温水が混合水通路に供給されることによって混合水温センサの検知温度が復帰判定基準温度以上になった場合は、湯水混合器にて温水通路からの温水と冷水通路からの冷水との混合割合を調整して設定温度の混合水を得る通常の温調動作が再開される。
【００１７】
尚、前記「第２設定開度」は、前記通水停止原因が解消されたときに前記上流側温水通路から混合水通路に温水が供給される開度であれば微小開度でなくても、半開又は最大開度でも良い。
また、前記「復帰判定基準温度」は、給水温センサの検知温度に定数を加えた温度でも良く、前記設定温度でも良い。
【００１８】
［４項］
前記１項から３項のいずれかにおいて、
『前記冷水通路が第１設定開度に固定された後に、前記混合水通路の通水が停止されたときは、前記湯水混合器によって前記冷水通路及び前記温水通路を安全温度混合開度に設定する制御手段を備えた、』ものとすれば、前記冷水通路が第１設定開度に固定された後に、出湯蛇口等からの出湯が停止されて混合水通路の通水が停止された場合は、前記冷水通路及び前記温水通路が安全温度混合開度に設定されるから、再度出湯が開始されたときに既に前記通水停止原因が解消さている場合には、温水の混合割合が低く抑えられ、これにより再出湯の開始直後に高温の混合水が一時的に流出することなく、通常の制御動作が再開される。
【００１９】
尚、前記「安全温度混合開度」は、冷水と温水とが使用者に対して安全な温度（例えば６０℃以下）に混合される開度割合であれば、冷水通路が最大開度且つ温水通路が半開であっても良いし、冷水通路が半開且つ温水通路が微小開度であっても良い。
【００２０】
［５項］
前記１項から４項のいずれかにおいて、
『前記給湯器接続口に配管接続される給湯器を遠隔制御するためのリモコン部に対して異常状態の報知を要求するための異常報知要求部を具備し、
前記冷水通路を前記第１設定開度に固定した場合は、前記異常報知要求部によって前記リモコン部に異常状態の報知を要求する制御手段を備えた』ものでは、前記混合水通路の流量が第２判定基準流量以下になって前記冷水通路を第１設定開度に固定した場合はこれを前記温水通路の異常とし、前記異常報知要求部によって前記リモコン部に異常状態の報知が要求され、これにより前記リモコン部に異常を報知させる。
【００２１】
【発明の効果】
本発明は、上記構成であるから次の特有の効果を有する。
上流側温水通路が通水停止状態になると、混合水通路の流量が判定基準流量以下の場合は冷水通路を第１設定開度に固定し、これにより給湯器から流出する温水の流量がハンチングするのを防止することができるから、冷水通路から安定した流量の冷水が湯水混合器を介して給湯器へ供給される。従って、給湯器から安定した出湯量の温水が供給されて、使用者に不快感を与える不都合がない。
【００２２】
２項のものでは、上記効果に加えて、温調動作が正常に実行されているときに、使用者が混合水の使用量を減らすことによって前記混合水通路の流量が第２判定基準流量以下になっても、これを上流側温水通路の通水停止状態であると判断して冷水通路を第１設定開度に固定するのを防止することができる。
【００２３】
３項のものでは、上記効果に加えて、前記湯水混合器によって冷水通路を第１設定開度、温水通路を第２設定開度に固定した後に、上流側温水通路から温水が混合水通路に供給されることによって混合水温センサの検知温度が復帰判定基準温度以上になった場合は、温水通路からの温水と冷水通路からの冷水との混合割合を調整して設定温度の混合水を得る通常の温調動作が自動的に再開されるから、利便性が良く且つ経済的である。
【００２４】
４項のものでは、前記湯水混合器によって冷水通路を第１設定開度に固定した後に出湯が停止されて混合水通路の通水が停止されると、前記冷水通路及び前記温水通路が安全温度混合開度に設定されるから、再度出湯が開始されたとき既に前記通水停止原因が解消さている場合には、湯水混合器から高温の混合水が一時的に流出する危険性がない。また、自動的に通常の温調動作が再開されるから、利便性が良い。
【００２５】
【発明の実施の形態】
次に、上記した本発明の実施の形態を図面に従って詳述する。
図１は、本発明の実施の形態に係る給湯器用湯水混合ユニット１を用いた給湯システムの概念図であり、太陽熱温水器５は給湯器用湯水混合ユニット１を介して給湯器７に配管接続されている。以下、各部の詳細を説明する。
【００２６】
［太陽熱温水器５について］
太陽熱温水器５は、太陽熱を吸収する集熱器５０と貯湯タンク５１内とを循環するように形成された蓄熱配管５２を具備しており、該蓄熱配管５２には膨張タンク５３と循環ポンプ５４が配設されている。
又、貯湯タンク５１の底部には水道配管からの冷水を供給するソーラ用給水管５５と水抜栓５７を具備する水抜通路５８が接続されていると共に、貯湯タンク５１の頂部からは上流側温水通路５６が引き出されている。
【００２７】
［給湯器７について］
給湯器７は、図示しないガスバーナで加熱される熱交換器が内蔵された給湯器本体７０と、該給湯器本体７０に電気接続されたリモコン７１を備えていると共に、該リモコン７１には、運転スイッチ７２と、浴槽８１に湯張りする際に操作する湯張りスイッチ７３と給湯温度設定器７５と、更に、給湯器の運転状態等を報知する報知部７４が設けられている。
又、給湯器本体７０と浴槽８１との間は、湯張り及び加熱に使用される往き管８２と戻り管８３で接続されていると共に、更に、給湯器本体７０から引き出された給湯通路８４には出湯蛇口８５が設けられている。
【００２８】
［給湯器用湯水混合ユニット１について］
本発明の対象たる給湯器用湯水混合ユニット１には、上記太陽熱温水器５からの温水が流れる上流側温水通路５６が接続される温水配管接続口１６と、既述ソーラ用給水管５５から分岐した給水通路１０が接続される給水配管接続口１７と、更に、給湯器本体７０の水入口７７に接続される給湯器接続口１８が設けられている。
【００２９】
上記温水配管接続口１６の下流側に形成された温水通路１４には、バキュームブレーカ１２０と、常閉電磁弁３１と、逆止弁１３と、更に、湯温センサ１９が、この順序で上流側から配設されている。又、温水通路１４の上流端近傍には、通水内の塵芥を除去する機能と通路の排水機能を兼備した水抜栓２１が設けられている。
【００３０】
一方、冷水通路１５には、逆止弁２２と給水温センサ２３と更に湯水混合器２０がこの順序で配設されていると共に、該湯水混合器２０は、温水通路１４と冷水通路１５の合流点に配設された温水調整弁２５とその上流側に於ける冷水通路１５内に配設された冷水調整弁２４とから構成されている。そして、上記冷水調整弁２４と温水調整弁２５は、これらに対応するパルスモータ２４０，２５０の回転によって先端の弁体２４１，２５１を弁口２６，２７に接離させ、これによって、弁口２６，２７の開度を変化させて流量調整するように構成されている。又、上記混合水通路２９には混合水の流量を計測する流量センサ３２と混合水温センサ３３と異常監視センサ３４と更に水抜き栓３５が設けられており、該水抜き栓３５は上記混合水通路２９等の水圧が過剰上昇したときに開弁して圧力を開放する逃がし弁機能を兼備している。又、冷水通路１５の上流端近傍には、通水内の塵芥を除去する機能と通路の排水機能を兼備した水抜栓３０が設けられている。
【００３１】
そして、既述湯温センサ１９、給水温センサ２３、湯水混合器２０、常閉電磁弁３１、流量センサ３２、混合水温センサ３３及び異常監視センサ３４等の電気部品は制御装置１１に電気接続されており、該制御装置１１によって、湯水混合器２０の動作が制御されるようになっている。
【００３２】
［給湯動作の実際］
次に、上記給湯システムの動作を説明する。
給湯器用湯水混合ユニット１に組み込まれた制御装置１１には、図２のフローチャートに示す内容の制御動作を実行するマイクロコンピュータが格納されており、以下、本実施の形態に係る給湯システムの動作を図２のフローチャートに従って説明する。
【００３３】
まず、給湯器７のリモコン７１に設けられた運転スイッチ７２が操作されたか否かを示す信号が給湯器本体７０から通信ケーブル７９を介して給湯器用湯水混合ユニット１の制御装置１１に送信されるのを監視する（ＳＴ１）。
そして、運転スイッチ７２が操作されたことが確認されると、常閉電磁弁３１を開弁させると共に、湯水混合器２０を安全温度混合開度（本実施の形態では、冷水調整弁２４を最大開度、温水調整弁２５を微小開度）に設定する。これにより、上流側温水通路５６からの温水が混合水通路２９に若干流れる状態にする（ＳＴ２）。
【００３４】
次に、流量センサ３２が検知する混合水の流量Ｑが基底流量（本実施の形態では２リットル／分）を超えたか否かが判断される（ＳＴ３）。出湯蛇口８５の開放操作や湯張りスイッチ７３の投入によって前記基底流量を超える流量Ｑの混合水が流れ、流量センサ３２からの基底出力が確認された場合は、湯水混合器２０から流出する混合水の温度を検知する混合水温センサ３３の検知温度とリモコン７１でセットされた既述の設定温度たる設定給湯温度とを比較して（ＳＴ４）、前記混合水の温度が前記設定給湯温度より高い場合は、給水通路１０からの冷水の供給量を増加させ、さらに上流側温水通路５６からの温水の供給量を減少させる温調動作を実行する（ＳＴ５〜ＳＴ９）。
【００３５】
尚、冷水調整弁２４や温水調整弁２５の開度はパルスモータ２４０，２５０のパルス数で判断することができ、ＳＴ６にて冷水調整弁２４が最大開度になっていない場合は、冷水調整弁２４の開度を１レベル（例えば最大開度の１０分の１）ずつ増加させ、ＳＴ８にて温水調整弁２５が最小開度になっていない場合は、温水調整弁２５の開度を１レベルずつ減少させることによって、前記混合水の温度を前記設定給湯温度に調整する。
【００３６】
一方、ＳＴ４で上記混合水の温度が前記設定給湯温度より低い場合は、上流側温水通路５６からの温水の供給量を増加させ、さらに給水通路１０からの冷水の供給量を減少させる制御を実行する。即ち、温水調整弁２５が最大開度でないことが確認されると、上流側温水通路５６からの温水の供給量を増加させるために、温水調整弁２５の開度を１レベルずつ増加させる（ＳＴ１０、ＳＴ１１）。前記温水調整弁２５が最大開度であるが上記混合水の温度が前記設定給湯温度より低い場合は、さらに給水通路１０からの冷水の供給量を減少させるために、冷水調整弁２４の開度を１レベルずつ減少させる（ＳＴ１２、ＳＴ１３）。
【００３７】
このとき、ＳＴ１３にて冷水調整弁２４の開度を１レベル減少させた後に、流量センサ３２が検知する混合水の流量Ｑが判定基準流量Ａ（本実施の形態では４リットル／分）以下になったか否かが監視される（ＳＴ１４）。即ち、温水調整弁２５が最大開度であって冷水調整弁の開度を減少させたときに、該混合水の流量Ｑが判定基準流量Ａより小さくなった場合は、上流側温水通路５６が凍結している可能性や上流側温水通路５６に配設されたソーラコック５９が閉じられている可能性があることから、冷水調整弁２４を第１設定開度（例えば、最大開度又はこれの２分の１等）に固定するとともに温水調整弁２５を第２設定開度（例えば、半開又は微小開度等）に固定する（ＳＴ１５）。
【００３８】
さらに、この状態において、前記混合水温センサ３３の検知温度が復帰判定基準温度以上になったか、もしくは前記出湯が停止されて前記流量センサ３２が検知する混合水の流量Ｑが０になったか否かが監視される。
【００３９】
即ち、凍結等の上流側温水通路５６の通水停止原因が解消され、該上流側温水通路５６から温水が混合水通路２９に供給されることによって混合水温センサ３３の検知温度が復帰判定基準温度（例えば、給水温センサ２３の検知温度に定数αを加えた温度、又は既述の設定給湯温度等）以上になると、前記混合水の温度を前記設定給湯温度に調整すべく冷水調整弁２４及び温水調整弁２５の開度を調整する通常の温度制御が再び実行される（ＳＴ１６）。
【００４０】
また、出湯蛇口８５が閉じられたり湯張りスイッチ７３を解除することによって出湯が停止され、前記流量センサ３２が検知する混合水の流量Ｑが０（通水停止状態）になると、冷水調整弁２４を最大開度に設定するとともに、温水調整弁２５を微小開度（例えば、最大開度の１０分の１）に設定する（ＳＴ１７、ＳＴ２）。そして、出湯蛇口８５の開放操作等によって前記混合水の流量Ｑが前記基底流量を超えると、再び前記通常の温度制御が実行される。
【００４１】
即ち、前記混合水温センサ３３の検知温度が復帰判定基準温度以上になるか、前記出湯が停止されるまでは、給水通路１０からの冷水が湯水混合器２０を通過してそのまま給湯器７に供給され、該冷水が給湯器７で設定給湯温度まで加熱された後に出湯蛇口８５等に給湯される。
【００４２】
これにより、上流側温水通路５６が通水停止状態にあるか否かの検出をする間に冷水調整弁２４と温水調整弁２５の開度を変化させないから、安定した水量を給湯器７へ供給し、既述従来のように給湯器７から流出する温水の量が繰返して増減するハンチングを確実に防止することができる。
【００４３】
尚、本実施の形態では、給湯器７のリモコン７１に設けられた給湯温度設定器７５でセットされた設定給湯温度と混合水温センサ３３の検知温度が等しくなるように湯水混合器２０を制御したが、上記リモコン７１が設けられていない出湯温固定式の給湯器７の場合は、給湯器本体７０や給湯器用湯水混合ユニット１に設けられたディップスイッチ等の温度設定器でセットされた設定給湯温度と混合水温センサ３３の検知温度が等しくなるように湯水混合器２０を制御する。また、温水供給装置としては、自然エネルギーを利用する既述太陽熱温水器５以外に、各種廃熱を利用した温水供給装置を適用することができる。
【図面の簡単な説明】
【図１】本発明の実施の形態に係る給湯器用湯水混合ユニットを具備する給湯システムの概略図
【図２】本発明の実施の形態に係る給湯器用湯水混合ユニットの動作を説明するフローチャート
【図３】従来例の説明図
【符号の説明】
１・・・給湯器用湯水混合ユニット
５・・・太陽熱温水器
７・・・給湯器
１０・・・給水通路
１４・・・温水通路
１５・・・冷水通路
１６・・・温水配管接続口
１８・・・給水配管接続口
１９・・・湯温センサ
２０・・・湯水混合器
２３・・・給水温センサ
２９・・・混合水通路
３３・・・混合水温センサ
【図１】
0003728243.tif 000002
【図２】
0003728243.tif 000003
【図３】
0003728243.tif 000004